(57)【要約】【課題】無停電電源装置の停止に先立って負荷量を測定することで、負荷の作業が終了したか否かを判断し、供給電力の遮断による不具合の発生の回避を図る。【解決手段】無停電電源装置から電力の供給を受けている負荷が、所定時間経過後に当該負荷の作業が終了するむねの信号を前記無停電電源装置へ発してから該所定時間が経過すれば、前記無停電電源装置はその負荷量を計測してその値が低負荷設定値を下回っていれば、直ちにあるいは前記一定時間経過後に当該無停電電源装置を停止させるが、計測した負荷量が前記低負荷設定値以上ならば当該無停電電源装置の運転を継続し、計測した負荷量が前記低負荷設定値を下回った時点またはこの時点から前記一定時間の経過後に、当該無停電電源装置を停止させる。【選択図】　　　　図１
2004096972.tif 000002
【特許請求の範囲】
【請求項１】
無停電電源装置から電力の供給を受けている負荷が、所定時間経過後に当該負荷の作業が終了するむねの信号を前記無停電電源装置へ発すれば、前記無停電電源装置は該所定時間の経過後または該所定時間に一定時間を加算した時間の経過後に、当該無停電電源装置を停止させる無停電電源装置の自動停止制御方法において、
前記負荷が稼働中の負荷量よりも低い値の低負荷設定値を定め、
前記所定時間の経過後に前記無停電電源装置の負荷量を計測し、
その負荷量が前記低負荷設定値を下回っていれば、直ちにあるいは前記一定時間経過後に当該無停電電源装置を停止させ、
計測した負荷量が前記低負荷設定値以上ならば当該無停電電源装置の運転を継続し、
計測した負荷量が前記低負荷設定値を下回った時点またはこの時点から前記一定時間の経過後に、当該無停電電源装置を停止させることを特徴とする無停電電源装置の自動停止制御方法。
【発明の詳細な説明】
【０００１】
【発明の属する技術分野】
この発明は、所定時間の経過後に負荷の作業が終了になった時点で、この負荷へ電力を供給している無停電電源装置を停止させることができる無停電電源装置の自動停止制御方法に関する。
【０００２】
【従来の技術】
極めて短い時間であっても停電しては困るような負荷として、例えばサーバや制御装置などがある。これらの負荷は、その使用電力を商用電源ではなく無停電電源装置から受電することで、電源の停電により不具合が発生するのを回避するのが一般的である。そこで無停電電源装置がサーバへ電力を供給する場合を例にして、本発明の内容を以下に記述する。
【０００３】
サーバがその日の作業を終了すれば停止し、翌朝に運転を再開するようなスケジュール運転をする場合は、サーバの停止後にその電源である無停電電源装置も停止にする。そのためにサーバは、停止に先立ってデータの退避処理を実施することで、当該サーバへの電力が遮断されても差し支えがない状態，すなわちサーバ電源切断待機状態にする。サーバがこの電源切断待機状態になれば、無停電電源装置を停止にすることができる。そこでサーバは、データの退避処理を開始するのに先立って、今から所定時間を経過すれば無停電電源装置を停止にしても差し支えないという意味の信号，すなわち無停電電源装置停止遅延時間信号を、無停電電源装置に対して発し、サーバは予め定めたこの所定時間内でデータの退避処理を行う。よって前記の所定時間が経過して無停電電源装置が停止となる時点では、データの退避は完了している。
【０００４】
図２は無停電電源装置を自動停止制御させる従来例を示したフローチャートである。図２のフローチャートにおいて、無停電電源装置が停止するまでの所定時間は予め設定（処理１１）しておく。無停電電源装置停止遅延時間信号が発令（処理１２）されてから前記所定時間が経過（判断１５）すれば、判断１６はサーバ電源切断待機状態になったと判定し、無停電電源装置の停止を指令（処理１３）し、サーバへの電力は遮断される。
【０００５】
【発明が解決しようとする課題】
ところでサーバが、その電源である無停電電源装置に対して、ある時刻に無停電電源装置停止遅延時間信号を発した後に、処理すべきデータが急に増えるなどが原因で、データの退避処理をするのに、予定していたよりも余分な時間が必要になることがある。ところがサーバは、無停電電源装置に対して既に停止遅延時間信号を発しているので、予め定めた所定時間が経過すれば、データの退避処理が終了しているか否かには関係せずに無停電電源装置は停止し、電力の供給は自動的に遮断されてしまうから、前記所定時間経過時点でデータの退避処理が終了していなければ、データが破壊されてしまう恐れもある。
【０００６】
そこでこの発明の目的は、無停電電源装置の停止に先立って負荷量を測定することで負荷の作業が終了したか否かを判断し、供給電力の遮断による不具合の発生の回避を図る。
【０００７】
【課題を解決するための手段】
前記の目的を達成するために、この発明の無停電電源装置の自動停止制御方法は、
無停電電源装置から電力の供給を受けている負荷が、所定時間経過後に当該負荷の作業が終了するむねの信号を前記無停電電源装置へ発してから該所定時間が経過すれば、前記無停電電源装置はその負荷量を計測してその値が低負荷設定値を下回っていれば、直ちにあるいは前記一定時間経過後に当該無停電電源装置を停止させるが、計測した負荷量が前記低負荷設定値以上ならば当該無停電電源装置の運転を継続し、計測した負荷量が前記低負荷設定値を下回った時点またはこの時点から前記一定時間の経過後に、当該無停電電源装置を停止させる。
【０００８】
【発明の実施の形態】
図１は本発明の実施例の動作を表したフローチャートであるが、この実施例フローチャートは、図２で記述の従来例フローチャートに処理２１，判断２２および判断２３を追加した構成であるから、追加の部分についてのみを説明し、同じ部分の説明は省略する。
【０００９】
図１のフローチャートにおいて、無停電電源装置停止遅延時間信号の発令（処理１２）から所定時間が経過（判断１５）すると、本発明では無停電電源装置がサーバへ出力する電気量を計測（処理２１）する。ここで電気量とは実効電力，皮相電力あるいは電流のいずれであっても差し支えなく、これらの絶対値であっても百分率値であっても差し支えないのは勿論である。
【００１０】
サーバはその稼働中に消費する電力と、データの退避処理が終了した後の消費電力とでは大きな差がある。本発明はこの点に着目しており、データの退避処理終了後のサーバの消費電力を少し上回った値を低負荷設定値とし、前記所定時間経過後の無停電電源装置の出力電気量の計測値がこの低負荷設定値以下（判断２２）であれば、データの退避処理は終了していると判断して、確認時間を経過した後（判断２３）に当該無停電電源装置を停止（処理１３）させる。但しこの確認時間は省略することも可能である。
【００１１】
無停電電源装置の出力電気量の計測値が低負荷設定値まで低下していない場合（判断２２）は、データ退避処理が未だ行われていると判断し、出力電気量の計測値がこの低負荷設定値以下に低下するまでは、当該無停電電源装置を停止させない。
【００１２】
【発明の効果】
サーバ等を負荷にして、これに電力を供給している無停電電源装置は、従来は所定時間が経過すれば給電を停止してもよいむねの停止遅延時間信号をサーバから受け取ると、この所定時間経過後にはサーバの運転状態を考慮することなく無停電電源装置を停止させていたから、データの退避処理が終了していなければデータ破壊などの不都合を生じる恐れがあった。これに対して本発明は、停止遅延時間信号をサーバから受け取ってから所定時間が経過すれば、当該無停電電源装置の出力電気量を計測し、その値が低負荷設定値まで低下していなければサーバは未だ稼働中と判断して無停電電源装置の運転を継続し、その出力電気量が低負荷設定値以下に低下すれば、サーバのデータ退避処理は終了していると判断して無停電電源装置を停止にする。よってサーバのデータの退避処理が未完の状態で停電となり、データが破壊されてしまうような不都合を回避できる効果が得られる。
【図面の簡単な説明】
【図１】本発明の実施例の動作を表したフローチャート
【図２】無停電電源装置を自動停止制御させる従来例を示したフローチャート
【符号の説明】
１１〜１３　　　処理
１５，１６　　　判断
２１　　　　　　処理
２２，２３　　　判断
【図１】
2004096972.tif 000003
【図２】
2004096972.tif 000004